(57)【要約】【課題】  携帯でき、人体皮膚に即時使用できる携帯式赤外線発射装置の提供。【解決手段】  ハンドルを具えたハウジング、発光装置モジュール及び制御回路モジュールを具え、該発光装置モジュールがハウジング内に設置され、少なくとも一つの発光装置を具えて少なくとも一種類の特定波長の赤外線を発射し、該制御回路モジュールが該ハウジング内に設置されて発光装置の発光時間、発光周波数と発光モードを決定する。使用者はハンドルを握持してこの携帯式赤外線発射装置を携行でき、且つ即時この携帯式赤外線発射装置を人体皮膚に使用できる。【選択図】        図８
2005058761.tif 000002
【特許請求の範囲】
【請求項１】
人体皮膚に適用される携帯式赤外線発射装置であり、該携帯式赤外線発射装置は、
ハンドルを具えたハウジングと、
該ハウジング内に設置され、少なくとも一種類の特定波長の赤外線を発射する少なくとも一つの発光装置を具えた発光装置モジュールと、
該ハウジング内に設置され、該発光装置モジュールに接続されて該発光装置の発光時間、発光周波数と発光モードを決定するのに用いられる制御回路モジュールと、
を具え、使用者がハンドルを握持して携帯式赤外線発射装置を携帯でき、該携帯式赤外線発射装置を人体皮膚に即時使用できることを特徴とする、携帯式赤外線発射装置。
【請求項２】
請求項１記載の携帯式赤外線発射装置において、ハウジングがメインケースとサブケースを具えたことを特徴とする、携帯式赤外線発射装置。
【請求項３】
請求項１記載の携帯式赤外線発射装置において、ハウジングがライトマスクを具え、特定波長の赤外線に該ライトマスクを通過させることを特徴とする、携帯式赤外線発射装置。
【請求項４】
請求項１記載の携帯式赤外線発射装置において、発光装置が複数の発光ダイオードを具え、これら発光ダイオードが環形に配列されたことを特徴とする、携帯式赤外線発射装置。
【請求項５】
請求項１記載の携帯式赤外線発射装置において、制御回路モジュールが更に、
少なくとも一つの駆動信号を出力する中央制御ユニットと、
発光装置モジュールと該中央制御ユニットに接続されて該駆動信号に基づき発光装置を駆動する駆動回路ユニットと、
該駆動回路ユニットに接続されて該発光装置の出力パワーを調整するパワー調整ユニットと、
を具えたことを特徴とする、携帯式赤外線発射装置。
【請求項６】
請求項５記載の携帯式赤外線発射装置において、駆動信号が直流信号とされたことを特徴とする、携帯式赤外線発射装置。
【請求項７】
請求項５記載の携帯式赤外線発射装置において、駆動信号が交流信号とされたことを特徴とする、携帯式赤外線発射装置。
【請求項８】
請求項１記載の携帯式赤外線発射装置において、発光モードが、発光装置にある時間間隔内に連続して特定波長の赤外線を発生させるものとされたことを特徴とする、携帯式赤外線発射装置。
【請求項９】
請求項１記載の携帯式赤外線発射装置において、発光モードが、発光装置にある時間間隔内に不連続で特定波長の赤外線を発生させるものとされたことを特徴とする、携帯式赤外線発射装置。
【請求項１０】
請求項１記載の携帯式赤外線発射装置において、電源の起動用の起動スイッチを更に具えたことを特徴とする、携帯式赤外線発射装置。
【請求項１１】
請求項１０記載の携帯式赤外線発射装置において、外接電源線を更に具えたことを特徴とする、携帯式赤外線発射装置。
【請求項１２】
請求項１記載の携帯式赤外線発射装置において、発光装置を交換することにより、発光装置モジュールの発射する特定波長の赤外線を改変できることを特徴とする、携帯式赤外線発射装置。
【請求項１３】
請求項１記載の携帯式赤外線発射装置において、ブザーを更に具え、発光時間が到達した時、該ブザーが音響を発生することを特徴とする、携帯式赤外線発射装置。
【請求項１４】
人体皮膚に適用される携帯式赤外線発射装置であり、該携帯式赤外線発射装置はハウジングと、発光装置モジュールと、制御回路モジュールを具え、
該ハウジングはハンドルを具え、メインケース、サブケース及びライトマスクを具え、  該発光装置モジュールは該ハウジング内に設置され、少なくとも一種類の特定波長の赤外線を発射する少なくとも一つの発光装置を具え、該発光装置を交換することにより発射する特定波長の赤外線を改変でき、
該制御回路モジュールは該ハウジング内に設置され、
少なくとも一つの駆動信号を出力する中央制御ユニットと、
該発光装置モジュールと該中央制御ユニットに接続され、該駆動信号に基づき該発光装置を駆動して特定波長の赤外線を発生させ、該駆動信号が該発光装置に連続発光と不連続発光の二つの発光モードを具備させる駆動回路ユニットと、
該駆動回路ユニットに接続されて該発光装置の出力パワーを調整するパワー調整ユニットと、を具え、
使用者がハンドルを握持して携帯式赤外線発射装置を携帯でき、該携帯式赤外線発射装置を人体皮膚に即時使用できることを特徴とする、携帯式赤外線発射装置。
【請求項１５】
請求項１４記載の携帯式赤外線発射装置において、発光装置が複数の発光ダイオードを具え、これら発光ダイオードが環形に配列されたことを特徴とする、携帯式赤外線発射装置。
【請求項１６】
請求項１４記載の携帯式赤外線発射装置において、駆動信号が直流信号とされて、発光装置にある時間間隔内に連続して特定波長の赤外線を発生させることを特徴とする、携帯式赤外線発射装置。
【請求項１７】
請求項１４記載の携帯式赤外線発射装置において、駆動信号が交流信号とされて、発光装置にある時間間隔内に不連続で特定波長の赤外線を発生させることを特徴とする、携帯式赤外線発射装置。
【請求項１８】
請求項１４記載の携帯式赤外線発射装置において、電源の起動用の起動スイッチを更に具えたことを特徴とする、携帯式赤外線発射装置。
【請求項１９】
請求項１４記載の携帯式赤外線発射装置において、外接電源線を更に具えたことを特徴とする、携帯式赤外線発射装置。
【発明の詳細な説明】
【技術分野】
【０００１】
本発明は一種の電子機器に係り、人体皮膚に適用され、且つ特に赤外線の人体皮膚への照射を利用して人体の細胞代謝を促進する携帯式赤外線発射装置に関する。
【背景技術】
【０００２】
人体皮膚への光の照射の利用は、重要な議題である。周知のパルス光機器は各種の高エネルギーと波長の光を出力できるが、全ての光波を一次放射するのではなく、特定波長の光線を選択して使用し、且つ各パルス光波段はいずれも対応する特殊な用途を有している。医師はパルス光の光波中より、皮膚の問題に応じて妥当な波長範囲と照射時間を選択することで、付近の組織の破壊を防止できる。これによりパルス光機器は操作時に多くのパラメータを設定しなければならず、並びに操作の難度は非常に高く、専門の医師でなければ操作できない。このほか、周知のパルス光機器はろ波器を利用して異なる波長の光線を分離し、その後、更に処理を行ないパルス光を出力する。このため周知のパルス光機器の体積は往々にして非常に膨大となり、携帯不能であった。
【０００３】
以上から分かるように、周知のパルス光機器のパラメータ設定は複雑で、ゆえに不当な操作により皮膚に対して傷害を形成する恐れがある。さらに、一般の使用者は操作できず、更に携行することもできない。
【発明の開示】
【発明が解決しようとする課題】
【０００４】
以上の従来の技術の問題を鑑み、本発明は携帯式赤外線発射装置を提供することを目的とする。この携帯式赤外線発射装置はパラメータ設定不要で、一般の使用者が自分で操作でき、且つ人体に傷害を及ぼす恐れがない。
【０００５】
本発明の更なる目的は、使用者が携帯でき随時使用できる携帯式赤外線発射装置を提供することにある。
【０００６】
本発明は一種の携帯式赤外線発射装置を提供し、この携帯式赤外線発射装置の機構は、ハンドルを具えたハウジングを具え、該ハウジングはメインケース、サブケースとライトマスクで組成されている。更に、その内部の電子システムは、発光装置モジュール、駆動回路ユニット、パワー調整ユニットと中央制御ユニットで組成されている。また、該発光装置モジュールは該ハウジング内に設置され、特定波長の赤外線を発射する複数の発光装置を具えている。また一方で、異なる種類の発光装置に交換することで、発光装置モジュールに異なる波長の赤外線を発射させることができる。
【０００７】
このほか、該中央制御ユニットは該駆動回路ユニットに接続され、且つ少なくとも一つの駆動信号を出力する。更に、駆動回路ユニットは発光装置モジュールと中央制御ユニットに接続され、駆動信号に基づき発光装置を駆動して特定波長の赤外線を発生させる。こうして、駆動信号が発光装置を連続的に発光させるか、或いは不連続的に発光させることができる。即ち、発光装置は上述の二種類の発光モードを有し得る。このほか、パワー調整ユニットは該駆動回路ユニットに接続されて発光装置の出力パワーを調整するのに用いられる。これにより、使用者がハンドルを握持してこの携帯式赤外線発射装置を携帯でき、且つ即時この携帯式赤外線発射装置を人体皮膚に使用することができる。
【０００８】
本発明の好ましい実施例によると、上述の発光装置は複数の発光ダイオードを具え、この複数の発光ダイオードは複数の環形に配列される。
【０００９】
本発明の好ましい実施例によると、上述の駆動信号は直流信号とされ、該発光装置にある時間間隔内において、連続して特定波長の赤外線を発生させる。
【００１０】
本発明の好ましい実施例によると、上述の駆動信号は交流信号とされ、この発光装置はある時間間隔内において、不連続に特定波長の赤外線を発生する。
【００１１】
本発明の好ましい実施例によると、起動スイッチにより電源がオンされる。
【００１２】
本発明の好ましい実施例によると、携帯式赤外線発射装置は更にブザーを具え、発光時間が終了すると、ブザーが音を発生し、その後、中央制御ユニットが発光装置モジュールの電源を切断し、こうしてタイマーの機能を達成する。
【課題を解決するための手段】
【００１３】
請求項１の発明は、人体皮膚に適用される携帯式赤外線発射装置であり、該携帯式赤外線発射装置は、
ハンドルを具えたハウジングと、
該ハウジング内に設置され、少なくとも一種類の特定波長の赤外線を発射する少なくとも一つの発光装置を具えた発光装置モジュールと、
該ハウジング内に設置され、該発光装置モジュールに接続されて該発光装置の発光時間、発光周波数と発光モードを決定するのに用いられる制御回路モジュールと、
を具え、使用者がハンドルを握持して携帯式赤外線発射装置を携帯でき、該携帯式赤外線発射装置を人体皮膚に即時使用できることを特徴とする、携帯式赤外線発射装置としている。
請求項２の発明は、請求項１記載の携帯式赤外線発射装置において、ハウジングがメインケースとサブケースを具えたことを特徴とする、携帯式赤外線発射装置としている。
請求項３の発明は、請求項１記載の携帯式赤外線発射装置において、ハウジングがライトマスクを具え、特定波長の赤外線に該ライトマスクを通過させることを特徴とする、携帯式赤外線発射装置としている。
請求項４の発明は、請求項１記載の携帯式赤外線発射装置において、発光装置が複数の発光ダイオードを具え、これら発光ダイオードが環形に配列されたことを特徴とする、携帯式赤外線発射装置としている。
請求項５の発明は、請求項１記載の携帯式赤外線発射装置において、制御回路モジュールが更に、
少なくとも一つの駆動信号を出力する中央制御ユニットと、
発光装置モジュールと該中央制御ユニットに接続されて該駆動信号に基づき発光装置を駆動する駆動回路ユニットと、
該駆動回路ユニットに接続されて該発光装置の出力パワーを調整するパワー調整ユニットと、
を具えたことを特徴とする、携帯式赤外線発射装置としている。
請求項６の発明は、請求項５記載の携帯式赤外線発射装置において、駆動信号が直流信号とされたことを特徴とする、携帯式赤外線発射装置としている。
請求項７の発明は、請求項５記載の携帯式赤外線発射装置において、駆動信号が交流信号とされたことを特徴とする、携帯式赤外線発射装置としている。
請求項８の発明は、請求項１記載の携帯式赤外線発射装置において、発光モードが、発光装置にある時間間隔内に連続して特定波長の赤外線を発生させるものとされたことを特徴とする、携帯式赤外線発射装置としている。
請求項９の発明は、請求項１記載の携帯式赤外線発射装置において、発光モードが、発光装置にある時間間隔内に不連続で特定波長の赤外線を発生させるものとされたことを特徴とする、携帯式赤外線発射装置としている。
請求項１０の発明は、請求項１記載の携帯式赤外線発射装置において、電源の起動用の起動スイッチを更に具えたことを特徴とする、携帯式赤外線発射装置としている。
請求項１１の発明は、請求項１０記載の携帯式赤外線発射装置において、外接電源線を更に具えたことを特徴とする、携帯式赤外線発射装置としている。
請求項１２の発明は、請求項１記載の携帯式赤外線発射装置において、発光装置を交換することにより、発光装置モジュールの発射する特定波長の赤外線を改変できることを特徴とする、携帯式赤外線発射装置としている。
請求項１３の発明は、請求項１記載の携帯式赤外線発射装置において、ブザーを更に具え、発光時間が到達した時、該ブザーが音響を発生することを特徴とする、携帯式赤外線発射装置としている。
請求項１４の発明は、人体皮膚に適用される携帯式赤外線発射装置であり、該携帯式赤外線発射装置はハウジングと、発光装置モジュールと、制御回路モジュールを具え、
該ハウジングはハンドルを具え、メインケース、サブケース及びライトマスクを具え、  該発光装置モジュールは該ハウジング内に設置され、少なくとも一種類の特定波長の赤外線を発射する少なくとも一つの発光装置を具え、該発光装置を交換することにより発射する特定波長の赤外線を改変でき、
該制御回路モジュールは該ハウジング内に設置され、
少なくとも一つの駆動信号を出力する中央制御ユニットと、
該発光装置モジュールと該中央制御ユニットに接続され、該駆動信号に基づき該発光装置を駆動して特定波長の赤外線を発生させ、該駆動信号が該発光装置に連続発光と不連続発光の二つの発光モードを具備させる駆動回路ユニットと、
該駆動回路ユニットに接続されて該発光装置の出力パワーを調整するパワー調整ユニットと、を具え、
使用者がハンドルを握持して携帯式赤外線発射装置を携帯でき、該携帯式赤外線発射装置を人体皮膚に即時使用できることを特徴とする、携帯式赤外線発射装置としている。
請求項１５の発明は、請求項１４記載の携帯式赤外線発射装置において、発光装置が複数の発光ダイオードを具え、これら発光ダイオードが環形に配列されたことを特徴とする、携帯式赤外線発射装置としている。
請求項１６の発明は、請求項１４記載の携帯式赤外線発射装置において、駆動信号が直流信号とされて、発光装置にある時間間隔内に連続して特定波長の赤外線を発生させることを特徴とする、携帯式赤外線発射装置としている。
請求項１７の発明は、請求項１４記載の携帯式赤外線発射装置において、駆動信号が交流信号とされて、発光装置にある時間間隔内に不連続で特定波長の赤外線を発生させることを特徴とする、携帯式赤外線発射装置としている。
請求項１８の発明は、請求項１４記載の携帯式赤外線発射装置において、電源の起動用の起動スイッチを更に具えたことを特徴とする、携帯式赤外線発射装置としている。
請求項１９の発明は、請求項１４記載の携帯式赤外線発射装置において、外接電源線を更に具えたことを特徴とする、携帯式赤外線発射装置としている。
【発明の効果】
【００１４】
本発明の携帯式赤外線発射装置は、パラメータ設定不要で、ゆえに使用者が自分で使用でき、且つ使用者が不当な操作により皮膚に傷害を受ける恐れがない。更に、携帯式赤外線発射装置の作用は人体細胞の代謝を促進し、ゆえに、この携帯式赤外線発射装置は美容と医療に運用可能である。
【発明を実施するための最良の形態】
【００１５】
図１は本発明の好ましい実施例の正面外観図である。携帯式赤外線発射装置１００の正面外観は、ライトマスク１０２、メインケース１０４及びハンドル１２０を具えている。図２は本発明の好ましい実施例の背面外観図である。本発明の携帯式赤外線発射装置１００の背面外観は、起動スイッチ１０６、サブケース１０８及びハンドル１２０を具えている。図３は本発明の好ましい実施例の側面透視図である。携帯式赤外線発射装置１００の側面透視は、ライトマスク１０２、メインケース１０４、起動スイッチ１０６、サブケース１０８、回路板１１０、発光装置モジュール１１２、信号線１１４、信号線１１６と外接電源線１１８を具えている。そのうち、ライトマスク１０２がメインケース１０４に接合され、メインケース１０４がサブケース１０８と結合されてハウジング１２２が形成されている。更に回路板１１０に起動スイッチ１０６と発光装置モジュール１１２が接続されている。並びに、回路板１１０と発光装置モジュール１１２がハウジング１２２内に設置され、発光装置モジュール１１２内に発光装置１２４が設けられている。
【００１６】
続いて携帯式赤外線発射装置１００の運転原理について説明する。図３を参照されたい。使用者が起動スイッチ１０６を押して、回路板１１０に通電すると、発光装置モジュール１１２が特定波長の赤外線を発射する。その後、特定波長の赤外線がライトマスク１０２を通過し、人体皮膚に照射され、特定の応用に供される。このほか、携帯式赤外線発射装置１００は異なる波長の光線を組み合わせて皮膚に照射することができ、ゆえにシミの除去用の光波、微細血管治療の光波等を結合させて、特殊な応用を同時に進行できる。更に、携帯式赤外線発射装置１００は媒体不要で、直接皮膚に接触させて使用することができる。
【００１７】
例えば、使用者が携帯式赤外線発射装置１００を使用して顔のシミを除去したい時は、ハンドル１２０を握持し、起動スイッチ１０６を押した後に、ライトマスク１０２をシミ部分に接近させる。その後、発光装置モジュール１１２に所定の発光周波数で特定波長の赤外線を発生させる。続いて、所定の発光時間が到達すると、携帯式赤外線発射装置１００が特定波長の赤外線の発射を終了し、これにより人体皮膚に対する傷害を防止する。更に、発光装置モジュール１１２内の発光装置１２４の発光モードはある時間間隔内に連続して特定波長の赤外線を発射するか、ある時間間隔内に不連続に特定波長の赤外線を発射するよう設定可能である。これにより、携帯式赤外線発射装置１００は携帯できるだけでなく、発光装置モジュール１１２内の発光装置１２４の発光周波数、発光時間と発光モードのいずれもが先に設定され、ゆえに使用者は操作時に起動スイッチ１０６を押すだけでよく、その他の設定は不要である。
【００１８】
図４は本発明の好ましい実施例の発光装置モジュール表示図である。図示されるように、発光装置モジュール２１２の運転原理は、図１〜図３の実施例と類似するため重複した説明は省略する。異なるところは、発光装置モジュール２１２は三つの発光装置２０２、２０４、２０６を具え、一種類或いは複数種類の特定周波数の赤外線を発射できるところである。更に発光装置は適当に配列され、その照射面積と関係特性が調整される。例えば、発光装置２０２、２０４、２０６が同一材質の発光ダイオードとされる時、発光装置モジュール２１２は僅かに一種類の特定周波数の赤外線のみ発射する。また、発光装置２０２、２０４、２０６がいずれも異なる材質の発光ダイオードとされる時、発光装置モジュール２１２は三種類の特定周波数の赤外線を発射できる。言い換えると、異なる発光装置に交換することにより、発光装置モジュール１１２の発射する特定波長の赤外線を改変できる。
【００１９】
図５に示されるのは本発明の別の好ましい実施例の発光装置モジュール表示図である。図示されるように、発光装置モジュール３１２の運転原理と図４の実施例は類似であるため、重複した説明は省略する。異なるところは、発光装置モジュール３１２が複数の発光装置を具え、且つ符号２で示される発光装置が環形に配列されている。即ち、図５中の符号１で示される発光装置は、第１種の材質の発光ダイオードとされて第１種の特定波長の赤外線を発射できる。このほか、図５中の符号２で示される発光装置は、第２種の材質の発光ダイオードとされ、且つ第２種の特定波長の赤外線を発射できる。言い換えると、発光装置モジュール３１２は二種類の特定波長の赤外線を発射できる。
【００２０】
図６は本発明のまた別の好ましい実施例の発光装置モジュール表示図である。本実施例は図５の実施例に類似するため、重複した説明は省略する。異なるところは、環形配列中の発光装置の数が増されて照射エネルギーが増されたことにある。
【００２１】
図７は本発明の更に別の好ましい実施例の発光装置モジュール表示図である。本実施例は図５の実施例に類似するため、重複した説明は省略する。異なるところは、図７中、符号３で示される発光装置は、第３種の材質の発光ダイオードとされ、且つ第３種の特定波長の赤外線を発射できるところである。また更に、図７中、符号４で示される発光装置は、第４種の材質の発光ダイオードとされ、且つ第４種の特定波長の赤外線を発射できる。即ち、発光装置モジュール５１２は四種類の特定波長の赤外線を発射できる。
【００２２】
以上から分かるように、適当な配列と異なる材質の発光ダイオードの組合せにより、発光装置モジュールが複数種類の特定波長の赤外線を発射できる。ここで特に説明すべきことは、図４、５、６及び図７に示される発光装置の数と配列形状は例に過ぎず、唯一のものではなく、この技術に習熟する者であれば自分で状況に応じてその実施方式を調整できる。
【００２３】
図８は本発明の実施例の回路ブロック図である。本実施例の回路は図１〜図３の実施例の回路板１１０に設置され、それは中央制御ユニット６０２、駆動回路ユニット６０４、パワー調整ユニット６０６、発光装置モジュール６０８、ブザー６１０及び電源供給モジュール６１６を具えている。そのうち、駆動回路ユニット６０４は中央制御ユニット６０２、パワー調整ユニット６０６と発光装置モジュール６０８に接続されている。中央制御ユニット６０２はブザー６１と電源供給モジュール６１６に接続されている。このほか、駆動回路ユニット６０４はトランジスタ６１２を具え、発光装置モジュール６０８は発光ダイオード６１４を具えている。
【００２４】
続いて回路動作原理を説明する。中央制御ユニット６０２は非揮発性メモリがビルトインされたマイクロプロセッサであり、少なくとも一つの駆動信号を出力可能である。そのうち、駆動信号は駆動回路ユニット６０４のトランジスタ６１２を駆動するのに用いられて発光ダイオード６１４を導通させ、それに特定波長の赤外線を発生させる。更に、駆動信号は直流信号とされ得て、持続して駆動回路ユニット６０４を駆動して発光ダイオード６１４にある時間間隔内で連続して特定波長の赤外線を発生させる。例えば、マイクロプロセッサのＧＰＩＯ（Ｇｅｎｅｒａｌ  Ｐｕｒｐｏｓｅ  Ｉｎｐｕｔ／Ｏｕｔｐｕｔ）がある時間間隔内に一つの高準位電圧信号或いは一つの交流信号をトランジスタ６１２のベースに出力するようにプログラムすれば、発光時間と発光モードを制御できる。
【００２５】
また、パワー調整ユニット６０６は、発光ダイオード６１４の出力パワーを調整するのに用いられる。このほか、所定の発光時間が到達した時、中央制御ユニット６０２がブザー６１０に音響を発生させる。その後、中央制御ユニット６０２が発光装置モジュール６０８の電源を切断する。
【００２６】
発光装置モジュールに多種類の特定波長の赤外線を発射させたければ、駆動信号と発光ダイオードの数を増やせばよい。言い換えると、異なる発光ダイオードにその特定の駆動信号を組み合わせることで、発光装置モジュールに多種類の特定波長の赤外線を発射させることができる。
【００２７】
総合すると、本発明の携帯式赤外線発射装置は、異なる種類の発光装置に交換することで、発光装置モジュールに異なる特定波長の赤外線を発射させることができ、更に、この携帯式赤外線発射装置の体積は周知の装置より遥かに小さく、ゆえに携帯することができ、便利で安全性を具えている。このほか、携帯式赤外線発射装置の製造コストは周知の装置よりも遥かに低く、ゆえに大幅に使用者の負担を減らすことができ、更に多くの使用者が恩恵に被る事ができる。
【００２８】
注意すべきことは、上述の説明は本発明の理解のためのものであり、記載された特殊な細部の目的は、本発明を詳しく記載することにあり、本発明の実施の可能性を限定するものではない。本発明の精神或いは記載された本質的な特徴に違反することなく、上述の実施例はその他の特殊方式で現出可能であり、本発明は特許請求の範囲の記載により定義されるものである。
【図面の簡単な説明】
【００２９】
【図１】本発明の好ましい実施例の正面外観図である。
【図２】本発明の好ましい実施例の背面外観図である。
【図３】本発明の好ましい実施例の側面透視図である。
【図４】本発明の好ましい実施例の発光装置モジュール表示図である。
【図５】本発明の好ましい実施例の発光装置モジュール表示図である。
【図６】本発明の別の好ましい実施例の発光装置モジュール表示図である。
【図７】本発明の更に別の好ましい実施例の発光装置モジュール表示図である。
【図８】本発明の実施例の回路ブロック図である。
【符号の説明】
【００３０】
１００  携帯式赤外線発射装置
１０２  ライトマスク
１０４  メインケース
１０６  起動スイッチ
１０８  サブケース
１１０  回路板
１１２、２１２、３１２、４１２、５１２、６０８  発光装置モジュール
１１４、１１６  信号線
１１８  外接電源線
１２０  ハンドル
１２２  ハウジング
１２４、２０２、２０４、２０６  発光装置
６０２  中央制御ユニット
６０４  駆動回路ユニット
６０６  パワー調整ユニット
６１０  ブザー
６１２  トランジスタ
６１４  発光ダイオード
６１６  電源供給モジュール
【図１】
2005058761.tif 000003
【図２】
2005058761.tif 000004
【図３】
2005058761.tif 000005
【図４】
2005058761.tif 000006
【図５】
2005058761.tif 000007
【図６】
2005058761.tif 000008
【図７】
2005058761.tif 000009
【図８】
2005058761.tif 000010